(57)【特許請求の範囲】
【請求項１】
基板上に形成された一対の外部電極と、
裏面側に形成された正負一対の電極が前記外部電極にバンプを介して接続され、裏面方向へも光を出射するLEDチップと、
前記基板と前記LEDチップの裏面との間の隙間に充填された蛍光体が分散された樹脂からなるアンダーコート樹脂と、
前記LEDチップの周囲を覆う蛍光体が分散されたモールド樹脂と、を有する発光ダイオードの製造方法において、
前記外部電極に、前記LEDチップの前記正負一対の電極を、前記バンプを介してフリップチップボンディングにより接続して、前記基板上に前記LEDチップを載置する工程と、
前記LEDチップを載置する工程の後に、前記基板と前記LEDチップの裏面との間の隙間に蛍光体が分散された樹脂を充填してアンダーコート樹脂を形成する工程と、
前記アンダーコート樹脂形成工程の後に、前記LEDチップの周囲を蛍光体が分散された樹脂で覆うモールド工程と、を有し、
前記アンダーコート樹脂と前記モールド樹脂は、同じ樹脂から構成され、
前記アンダーコート樹脂における蛍光体分散濃度は、前記モールド樹脂における蛍光体分散濃度と異なることを特徴とする発光ダイオードの製造方法。
【請求項２】
基板上に形成された一対の外部電極と、
裏面側に形成された正負一対の電極が前記外部電極にバンプを介して接続され、裏面方向へも光を出射するLEDチップと、
前記基板と前記LEDチップの裏面との間の隙間に充填された蛍光体が分散された樹脂からなるアンダーコート樹脂と、
前記LEDチップの周囲を覆う蛍光体が分散されたモールド樹脂と、を有する発光ダイオードの製造方法において、
前記基板上に前記アンダーコート樹脂を塗布する工程と、
前記アンダーコート樹脂を塗布する工程の後に、前記外部電極に、前記LEDチップの前記正負一対の電極を、前記バンプを介してフリップチップボンディングにより接続して、前記基板上に前記LEDチップを載置する工程と、
前記LEDチップを載置する工程の後に、前記LEDチップの周囲を蛍光体が分散された樹脂で覆うモールド工程と、を有し、
前記アンダーコート樹脂と前記モールド樹脂は、同じ樹脂から構成され、
前記アンダーコート樹脂における蛍光体分散濃度は、前記モールド樹脂における蛍光体分散濃度と異なることを特徴とする発光ダイオードの製造方法。
【発明の詳細な説明】
【０００１】
【発明の属する技術分野】
本発明は、ＬＥＤディスプレイ、バックライト用光源等に用いられる発光ダイオードに関するものであり、詳細にはＬＥＤチップを該ＬＥＤチップの発光波長を変換する蛍光体を分散させた樹脂でモールドし、前記ＬＥＤチップの発光と前記蛍光体から発生する光との混色によって発光する発光ダイオード及びその製造方法に関するものである。
【０００２】
【従来の技術】
一般にこの種発光ダイオードは、例えば図５乃至図６に示すように構成されており、図５は縦形リードフレーム構造と呼ばれ、図６は表面実装構造と呼ばれる発光ダイオードである。なお、これら従来例では、青色系のＬＥＤチップと蛍光体とを用いた白色発光ダイオードを例にとって説明する。
【０００３】
図５に示す縦形リードフレーム構造と呼ばれる発光ダイオード９０は、一対の外部電極で成るリードフレーム９１のカップ部分９１ａにＬＥＤチップ９２を接着剤によってダイボンドし、続いてＬＥＤチップ９２に形成された電極とリードフレーム９１の外部電極のそれぞれに金線等のワイヤ９３で電気的に接続した後、蛍光体を分散させた樹脂９４をリードフレーム９１のカップ部分９１ａに注入して樹脂９４を硬化させて蛍光体を固定している。その後、全体をモールド樹脂９５によってモールドして発光ダイオード９０が構成されている。
【０００４】
また、図６に示す表面実装構造と呼ばれる発光ダイオード１００は、板状の絶縁性基板１０１上に一対の外部電極から成るリードフレーム１０２を折り曲げて面実装し、該リードフレーム１０２上にＬＥＤチップ１０３を固着し、続いてＬＥＤチップ１０３に形成された電極とリードフレーム１０２の外部電極のそれぞれとを金線等のワイヤ１０４で電気的に接続する。また、基板１０１上には内面が反射面に形成されたランプハウス１０５が設けられ、このランプハウス１０５で形成された凹部に蛍光体を分散させた樹脂１０６を注入し、注入後、該樹脂１０６を硬化して蛍光体が固定され、発光ダイオード１００が構成されている。
【０００５】
従来の発光ダイオード９０、１００は以上のように構成されており、ＬＥＤチップ９２、１０３としては、例えばＧａＮ、ＧａＡｌＮ、ＩｎＧａＮ、ＩｎＧａＡｌＮ等の窒化物系化合物半導体やＺｎＳｅ（セレン化亜鉛）等で発光層を形成し、３８０ｎｍ〜５００ｎｍの青色系で発光する素子を用い、蛍光体分散樹脂９４、１０６はエポキシ樹脂に蛍光体を均一に分散させたもので、蛍光体としてはガーネット構造を有するイットリウム・アルミン酸塩系の蛍光体を用いている。これによって、ＬＥＤチップ９２、１０３から放出された青色系の光の一部を前記蛍光体が吸収して、ＬＥＤチップ９２、１０３の青色系の光の波長より長い波長の光（黄橙色系）に変換し、この蛍光体によって波長変換された黄橙色系の光と前記ＬＥＤチップからの青色系の光とが混合されて白色系の光となり、この混色した白色系の光が外部に放出されるものである。
【０００６】
【発明が解決しようとする課題】
しかしながら、こうした従来の発光ダイオード９０、１００は、ＬＥＤチップ９２、１０３の電極とリードフレーム９１、１０２とが銀ペースト、金線等のワイヤ９３、１０４とで電気的に接続されているが、例えば図５の縦形リードフレーム構造の発光ダイオード９０の場合、蛍光体分散樹脂９４とモールド樹脂９５との膨張係数など物性上の違いから、界面での剥離やワイヤー９３の切断といった問題があった。また、効率の良い白色発光を得るためには蛍光体の配置を最適なものとする必要があり、蛍光体分散樹脂９４、１０６には高い注入精度が求められるが、こうした発光ダイオード９０、１００の構造上、ワイヤーボンディングを行った後に注入を行うため、注入時にワイヤー９３、１０４に接触して断線を引き起こすといった問題があり、こうした問題の解決が課題とされるものとなっている。
【０００７】
【課題を解決するための手段】
本発明は上記した従来の課題を解決するための具体的手段として、ＬＥＤチップと、該ＬＥＤチップの電極に各々接続された一対の外部電極と、前記ＬＥＤチップの発光面上にＬＥＤチップの発光の一部を吸収してＬＥＤチップの発光波長を変換する蛍光体を分散させたモールド樹脂とを備え、前記ＬＥＤチップの発光と前記蛍光体から発生する光との混色によって発光する発光ダイオードにおいて、前記ＬＥＤチップは、裏面側に正負一対の電極を有し、これら電極を前記一対の外部電極のそれぞれにバンプを介してフリップチップボンディングによって電気的に接続すると共に、前記ＬＥＤチップの周囲を前記蛍光体が分散された樹脂で覆い且つ前記ＬＥＤチップ裏面側の電極接続部によって形成されたバンプ高さ分の隙間に対しても前記蛍光体が分散された樹脂が充填されていることを特徴とする発光ダイオードを提供することで課題を解決するものである。
【０００８】
【発明の実施の形態】
次に本発明を図に示す実施形態に基づいて詳細に説明する。なお、本実施形態では、青色系のＬＥＤチップと蛍光体とを用い、白色に発光する発光ダイオードを例にとって説明する。
【０００９】
図１は本発明に係る発光ダイオード１の第一実施形態を示しており、表面実装構造と呼ばれる構造のものである。この発光ダイオード１は、板状の絶縁性基板２上に一対の外部電極から成るリードフレーム３を折り曲げて面実装し、該リードフレーム３上にＬＥＤチップ４が固着されている。ＬＥＤチップ４は、裏面側に正負一対の電極を有していて、これら電極部のそれぞれをリードフレーム３の一対の外部電極のそれぞれに、Ａｕバンプ、はんだバンプ等のバンプ５を介して電気的に接続されていて、所謂フリップチップボンディングされている。
【００１０】
さらに、基板２上には内面が反射面に形成されたランプハウス６が設けられ、このランプハウス６で形成された凹部に蛍光体を分散させたモールド樹脂７が注入され、注入後、モールド樹脂７を硬化して蛍光体が固定され、発光ダイオード１が構成されている。
【００１１】
ここで、さらに本実施形態の発光ダイオード１は図２に示すように、前記ＬＥＤチップ４裏面側の電極部とリードフレーム３とのバンプ５による接続部によって形成されたバンプ５高さ分の隙間に対し、前記蛍光体を分散させたアンダーコート樹脂８によって封止され、その後、その上を前記蛍光体を分散させたモールド樹脂７によって封止された構造となっている。
【００１２】
アンダーコート樹脂８は、エポキシ樹脂、シリコン樹脂などの熱硬化性樹脂に前記モールド樹脂７と同様に蛍光体が分散されて成り、さらに、必要に応じてシリカ、ガラスフィラなどの無機粒子を添加して膨張係数を調整している。これにより、後工程における半田熱や樹脂硬化の際に発生する熱によって、基板２、リードフレーム３、ＬＥＤチップ４それぞれの膨張係数が異なるため、その熱膨張によってこれら接続部に生じるストレスから発生する恐れのある接触不良を、これら接続部にアンダーコート樹脂８を充填することで、熱が加えられたときの膨張によるストレスを緩和することができる。
【００１３】
次に、こうして構成された発光ダイオード１の製造方法について説明する。
【００１４】
発光ダイオード１は、まず、リードフレーム３の一対の電極それぞれに銀ペースト等の導電性接着剤を塗布し、その上に裏面側の電極部にバンプ５を付着したＬＥＤチップ４を位置決めして載置し、ＬＥＤチップ４を圧着した状態でバンプ５を硬化し、ＬＥＤチップ４の正負一対の電極を対応するリードフレーム３の外部電極に電気的に接続する。
【００１５】
その後、アンダーコート樹脂８を基板２とＬＥＤチップ４裏面との間の隙間に充填して硬化する。これにより、アンダーコート樹脂８がＬＥＤチップ４の正負一対の電極間の電気的絶縁を確保すると共に、基板２、リードフレーム３、ＬＥＤチップ４の電極との接続部を、後工程で発生する半田熱やモールド樹脂硬化の熱膨張による各部材の膨張係数の違いから生じるストレスから保護し、接触不良を防止し信頼性を向上するものである。なお、アンダーコート樹脂８は、予め基板２上に塗布しておき、その上にバンプ５を付着したＬＥＤチップ４を位置決めして載置し、その後圧着硬化しても良い。
【００１６】
そして、その後、エポキシ樹脂等に蛍光体を適宜分散したモールド樹脂７を基板２上に形成されたランプハウス６による凹部に注入して、ＬＥＤチップ４の周囲を全て封止して、モールド樹脂７を硬化して蛍光体を固定し、発光ダイオード１が構成される。
【００１７】
ここで、アンダーコート樹脂８には、モールド樹脂７と同様に蛍光体が分散されている。これは、フリップチップボンディング構造のＬＥＤチップ４の場合、チップの上面が発光面となるが、ＬＥＤチップ４の裏面方向にも多くの光が出ているため、この裏面側の基板２との隙間を蛍光体が分散されたアンダーコート樹脂８で封止することによって、ＬＥＤチップ４の裏面方向に出た光も白色光に変換して、変換効率の向上を図るためである。これによって、上記蛍光体を分散したアンダーコート樹脂８がない場合と比較して、一つの発光ダイオード１に使用する蛍光体量を１０〜２０％低減することができる。
【００１８】
図３は、本発明の発光ダイオードの第二実施形態を示す断面図であり、プリント基板２上に一対の外部電極を成す電極パターン３を形成し、そのそれぞれにＬＥＤチップ４裏面の正負一対の電極をバンプ５を介して電気的に接続し、これら接続部によって形成されたバンプ５高さ分の隙間を前記アンダーコート樹脂８によって封止し、その上を蛍光体を分散した透明なエポキシ樹脂７によってトランスファーモールド法によって封止した構造のものである。
【００１９】
なお、モールド樹脂７及びアンダーコート樹脂８に分散する蛍光体としてはガーネット構造を有するイットリウム・アルミン酸塩系の蛍光体を用いているが、特に不活剤としてセリウム（Ｃｅ）及びプラセオジウム（Ｐｒ）をドープした蛍光体を用いれば、図４に示す発光スペクトルのグラフのように６１０ｎｍ付近に新たなピークが出現し、赤色領域での演色性が良好な白色発光ダイオードが得られる。
【００２０】
また、図示していないが、図５の第一従来例のような縦形リードフレーム構造の場合は、リードフレームを構成する一対の外部電極によってカップ部分が形成され、この上に前記第一実施形態、第二実施形態と同様にＬＥＤチップをそれぞれ対応する電極どおしを電気的に接続するようフリップチップボンディングし、この接続部によって形成されたバンプ５高さ分の隙間に対しアンダーコート樹脂で封止した後、リードフレームのカップ部分に蛍光体を分散したエポキシ樹脂を注入、硬化し、最後に透明なエポキシ樹脂で全体を封止して構成される。
【００２１】
なお、上記実施形態ではいずれも、モールド樹脂７とアンダーコート樹脂８とを呼び方を使い分けてきたが、材料的には同じエポキシ樹脂に蛍光体を分散させたものを用いても良く、また、同じエポキシ樹脂を用い蛍光体分散濃度を必要に応じ変えても良い。また、それぞれの樹脂を注入する工程も分けて説明してきたが、同じ材料であれば工程も分けなくて良い。即ち、ＬＥＤチップ４のフリップチップボンディング後に前記蛍光体を分散した樹脂を注入し、全体を一度にモールドしても良い。但しこの場合には、樹脂を注入する過程でＬＥＤチップ４の裏面にも樹脂が回り込む必要があり、具体的には、そのための樹脂として、エポキシモノマー、酸無水物、硬化促進剤から成り混合粘度が８００ｃｐｓ以下の混合物を用い、さらに使用環境の必要に応じて紫外線吸収剤や酸化防止剤を添加したものを用いる。なお、低粘度樹脂中では蛍光体が沈降してしまうことが考えられるが、これは適宜攪拌注入機を使用することによって解決することができる。
【００２２】
また、上記実施形態ではいずれも、青色系のＬＥＤチップと蛍光体とを用い、白色に発光する発光ダイオードを例にとって説明してきたが、本発明はこれについても限定されず、他の色に発光するＬＥＤチップと蛍光体とによる組み合わせによって混色発光する発光ダイオードであっても良い。
【００２３】
【発明の効果】
以上説明したように本発明によれば、ＬＥＤチップの裏面側に正負一対の電極を有し、これら電極を一対の外部電極のそれぞれにバンプを介してフリップチップボンディングによって電気的に接続すると共に、ＬＥＤチップの周囲を蛍光体が分散された樹脂で覆い且つＬＥＤチップ裏面側の電極接続部によって形成されたバンプ高さ分の隙間に対しても蛍光体が分散された樹脂が充填されていることを特徴とする発光ダイオードとしたことで、従来例のようなワイヤを不要にし、ワイヤの断線による発光ダイオードの不点灯を防止する。また、ＬＥＤチップ裏面側のバンプ高さ分の隙間部分も樹脂で封止しているため、接続部を樹脂硬化の際に発生する熱による各部材の膨張係数の違いから生じるストレスから保護し、接触不良を防止して信頼性を向上する。さらに、この樹脂には全体をモールドする樹脂と同様に蛍光体が分散されているので、ＬＥＤチップの裏面側に出た光も混合色の光に変換して変換効率の向上を図り、使用する蛍光体量の削減も図れる。
【図面の簡単な説明】
【図１】本発明に係る発光ダイオードの第一実施形態を示す断面図である。
【図２】同じ実施形態の要部を示す断面図である。
【図３】本発明に係る発光ダイオードの第二実施形態を示す断面図である。
【図４】本発明に係る発光ダイオードの発光スペクトルを示すグラフである。
【図５】従来例における発光ダイオードの一例を示す断面図である。
【図６】従来例における発光ダイオードの別の例を示す断面図である。
【符号の説明】
１……発光ダイオード
２……基板
３……電極（リードフレーム）
４……ＬＥＤチップ
５……バンプ
６……ランプハウス
７……モールド樹脂
８……アンダーコート樹脂
【図１】
0004763122.tif 000002
【図２】
0004763122.tif 000003
【図３】
0004763122.tif 000004
【図４】
0004763122.tif 000005
【図５】
0004763122.tif 000006
【図６】
0004763122.tif 000007